(57)【要約】  【課題】  呼出ボタンを押下していない待機状態には、親機および子機の電力消費をゼロにして装置の省電力化を実現するインターホン装置を提供する。  【解決手段】  呼出ボタン１１、子機通話回路１２を備えた子機３と、電源起動／停止手段４、親機電源回路５、親機制御手段６、給電回路７、親機通話回路８、呼出音生成回路９および通話ボタン１０を備えた親機２と、親機２と子機３間を接続する接続線とから構成し、呼出ボタン１１の操作で電源起動／停止手段４を起動して親機２および子機３を動作させ、通話終了後に通話ボタン１０の操作で電源起動／停止手段４を停止して親機２および子機３への外部直流電源ＶCを遮断する。【選択図】  図１
2005348333.tif 000002
【特許請求の範囲】
【請求項１】
子機と親機を接続線で接続し、前記子機の呼出ボタンを操作することにより、前記親機を呼び出し、前記子機および前記親機相互間で通話を行うインターホン装置であって、
前記子機の呼出ボタンの操作をトリガーにして直流電源を起動し、前記親機および前記子機を動作させるとともに、前記親機の通話の終了動作をトリガーにして直流電源を停止し、前記親機および前記子機の動作を停止させる電源起動／停止手段を備え、装置の待機状態には電力消費をゼロにすることを特徴とするインターホン装置。
【請求項２】
前記子機と前記親機を呼出用接続線と通話用接続線で接続し、前記子機は、前記呼出用接続線に接続し、前記親機を呼び出す前記呼出ボタン、前記通話用接続線に接続する子機通話回路を備え、前記親機は、通電時呼出手段および終了パルス発生手段を有する親機制御手段、前記直流電源を発生する親機電源回路、前記子機に直流電源を供給するとともに、通話信号を直流電源に重畳する通話信号路を形成する給電回路、親機通話回路、呼出音信号を生成する呼出音生成回路、通話を終了する通話終了手段、前記電源起動／停止手段を備えたことを特徴とする請求項１記載のインターホン装置。
【請求項３】
前記電源起動／停止手段は、セット巻線およびリセット巻線を有する２巻線ラッチングリレーで構成し、前記呼出ボタンの操作により前記呼出用接続線を介して前記セット巻線に呼出電流を流し、前記２巻線ラッチングリレーをオン状態に保持して直流電源を起動するとともに、通話の終了動作により前記リセット巻線に終了パルスを供給して前記２巻線ラッチングリレーをオフ状態に復旧し、直流電源を停止することを特徴とする請求項１記載または請求項２記載のインターホン装置。
【請求項４】
前記子機と前記親機を通話用接続線で接続し、前記子機は、前記親機を呼び出す呼出ボタン、前記呼出ボタンと並列接続した電源起動手段、前記電源起動手段に起動信号を供給する子機制御手段、前記親機と通話を行う子機通話回路、前記子機通話回路および前記子機制御手段に直流電源を供給する子機電源回路、通話信号を重畳する子機通話重畳手段を備え、前記親機は、電源停止手段、通電時呼出手段および終了信号発生手段を有する親機制御手段、前記子機と通話を行う親機通話回路、呼出信号を生成する呼出音生成回路、前記親機通話回路および前記親機制御手段に直流電源を供給する親機電源回路、通話信号を重畳する親機通話重畳手段、通話を終了する通話終了手段を備え、前記電源停止手段と、前記親機電源回路と、前記親機通話重畳手段と、前記子機電源回路と、前記電源起動手段と並列接続した前記呼出ボタンと、前記子機通話重畳手段と、を直列に接続したことを特徴とする請求項１記載のインターホン装置。
【請求項５】
前記子機は、前記子機通話重畳手段に代えて通話信号を送受信する子機無線送受信回路を備え、前記親機は、前記親機通話重畳手段に代えて通話信号を送受信する親機無線送受信回路を備え、前記子機と前記親機間で無線通話することを特徴とする請求項４記載のインターホン装置。
【請求項６】
前記電源起動／停止手段は、前記子機に設けた起動巻線を有する前記電源起動手段と、前記親機に設けた解除巻線を有する前記電源停止手段と、で構成することを特徴とする請求項１、請求項４記載または請求項５記載のインターホン装置。
【請求項７】
前記電源起動手段は、ノーマルブレーク接点構成の１メークリレーで構成し、前記電源停止手段は、ノーマルメーク接点構成の１ブレークリレーで構成したことを特徴とする請求項６記載のインターホン装置。
【請求項８】
前記子機は、前記電源起動手段に代えて起動信号および終了信号で動作するリレー回路と、起動信号発生手段および終了信号発生手段を有する子機制御手段と、前記終了信号発生手段に終了信号を供給する子機制御信号重畳手段を備え、前記親機は、前記電源停止手段に代えて通話の終了信号を前記子機に送信する親機制御信号重畳手段を備えたことを特徴とする請求項４記載のインターホン装置。
【請求項９】
前記電源起動／停止手段は、前記子機に設けた起動信号および終了信号で動作するリレー回路と、起動信号発生手段および終了信号発生手段を有する子機制御手段と、前記終了信号発生手段に終了信号を供給する子機制御信号重畳手段と、前記親機に設けた通話の終了信号を前記子機に送信する親機制御信号重畳手段と、を備えたことを特徴とする請求項１または請求項８記載のインターホン装置。
【発明の詳細な説明】
【技術分野】
【０００１】
本発明は子機と親機を接続線で接続し、子機の呼出ボタンを操作して親機を呼び出し、子機および親機相互間で通話を行うインターホン装置に係り、特に呼出ボタンを押下していない待機状態に装置を駆動する直流電源の消費電力をゼロにして省電力化を実現するインターホン装置に関する。
【背景技術】
【０００２】
従来のインターホン装置において、呼出ボタンを押下していない待機状態では、親機の直流電源回路、呼出検知回路などを動作させ、親機から子機の呼出ボタン（呼出スイッチの接点間）に直流電源を印加し、子機の呼出ボタンを押下すると、呼出ボタンに印加された直流電源（直流電圧）が変化（低下）したことを親機の呼出検知回路で検知し、親機の呼出音を鳴動させ、呼出音を聞いた室内の住居人が親機を応答操作して子機と親機間で通話するように構成される。
【０００３】
通話が終了して室内の住居人が親機の終了操作により、再度待機状態に戻る。
【０００４】
また、従来のインターホン装置は、「特許文献１」（ドアホン装置）に開示されているように、子機の呼出ボタン（呼出回路）に、親機に配置した太陽電池から電源を供給するように構成されているものが知られている。
【特許文献１】特開２００１−２８５４９８号公報
【発明の開示】
【発明が解決しようとする課題】
【０００５】
従来のインターホン装置は、呼出ボタンを押下していない待機状態でも、親機の直流電源回路、呼出検知回路などを動作させているため、通話時間が短い場合でも待機時間が長くなると、装置の総消費電力が多くなって省エネルギー化を実現できない課題がある。
【０００６】
また、「特許文献１」に開示されたインターホン装置は、待機時に呼出ボタン（呼出回路）に、太陽電地から電源を供給するため、親機の電力消費は低減できるが、太陽電池のコストアップを招くという課題が生じる。
【０００７】
この発明はこのような課題を解決するためになされたもので、その目的は呼出ボタンを押下していない待機状態には、親機および子機の電力消費をゼロにして装置の省電力化を実現するインターホン装置を提供することにある。
【課題を解決するための手段】
【０００８】
前記課題を解決するためこの発明に係るインターホン装置は、子機と親機を接続線で接続し、子機の呼出ボタンを操作することにより、親機を呼び出し、子機および親機相互間で通話を行うインターホン装置であって、子機の呼出ボタンの操作をトリガーにして直流電源を起動し、親機および子機を動作させるとともに、親機の通話の終了動作をトリガーにして直流電源を停止し、親機および子機の動作を停止させる電源起動／停止手段を備え、装置の待機状態には電力消費をゼロにすることを特徴とする。
【０００９】
この発明に係るインターホン装置は、子機と親機を接続線で接続し、子機の呼出ボタンを操作することにより、親機を呼び出し、子機および親機相互間で通話を行うインターホン装置であって、子機の呼出ボタンの操作をトリガーにして直流電源を起動し、親機および子機を動作させるとともに、親機の通話の終了動作をトリガーにして直流電源を停止し、親機および子機の動作を停止させる電源起動／停止手段を備え、装置の待機状態には電力消費をゼロにするので、インターホンの使われない長い待機状態の電力消費をゼロにすることができる。
【００１０】
また、この発明に係るインターホン装置は、子機と親機を呼出用接続線と通話用接続線で接続し、子機は、呼出用接続線に接続し、親機を呼び出す呼出ボタン、通話用接続線に接続する子機通話回路を備え、親機は、通電時呼出手段および終了パルス発生手段を有する親機制御手段、直流電源を発生する親機電源回路、子機に直流電源を供給するとともに、通話信号を直流電源に重畳する通話信号路を形成する給電回路、親機通話回路、呼出音信号を生成する呼出音生成回路、通話を終了する通話終了手段、電源起動／停止手段を備えたことを特徴とする。
【００１１】
この発明に係るインターホン装置は、子機と親機を呼出用接続線と通話用接続線で接続し、子機は、呼出用接続線に接続し、親機を呼び出す呼出ボタン、通話用接続線に接続する子機通話回路を備え、親機は、通電時呼出手段および終了パルス発生手段を有する親機制御手段、直流電源を発生する親機電源回路、子機に直流電源を供給するとともに、通話信号を直流電源に重畳する通話信号路を形成する給電回路、親機通話回路、呼出音信号を生成する呼出音生成回路、通話を終了する通話終了手段、電源起動／停止手段を備えたので、呼出ボタンを操作して電源起動／停止手段を起動することにより、親機電源回路を動作させて親機を呼び出し、子機も動作させて通話状態にするとともに、通話終了手段が終了動作して電源起動／停止手段を停止することにより、親機電源回路を停止させて装置の電力消費をゼロにすることができる。
【００１２】
さらに、この発明に係る電源起動／停止手段は、セット巻線およびリセット巻線を有する２巻線ラッチングリレーで構成し、呼出ボタンの操作により呼出用接続線を介してセット巻線に呼出電流を流し、２巻線ラッチングリレーをオン状態に保持して直流電源を起動するとともに、通話の終了動作によりリセット巻線に終了パルスを供給して２巻線ラッチングリレーをオフ状態に復旧し、直流電源を停止することを特徴とする。
【００１３】
この発明に係る電源起動／停止手段は、セット巻線およびリセット巻線を有する２巻線ラッチングリレーで構成し、呼出ボタンの操作により呼出用接続線を介してセット巻線に呼出電流を流し、２巻線ラッチングリレーをオン状態に保持して直流電源を起動するとともに、通話の終了動作によりリセット巻線に終了パルスを供給して２巻線ラッチングリレーをオフ状態に復旧し、直流電源を停止するので、呼出ボタンの操作で装置を動作状態にし、通話の終了動作で装置を待機状態にすることができる。
【００１４】
また、この発明に係るインターホン装置は、子機と親機を通話用接続線で接続し、子機は、親機を呼び出す呼出ボタン、呼出ボタンと並列接続した電源起動手段、電源起動手段に起動信号を供給する子機制御手段、親機と通話を行う子機通話回路、子機通話回路および子機制御手段に直流電源を供給する子機電源回路、通話信号を重畳する子機通話重畳手段を備え、親機は、電源停止手段、通電時呼出手段および終了信号発生手段を有する親機制御手段、子機と通話を行う親機通話回路、呼出信号を生成する呼出音生成回路、親機通話回路および親機制御手段に直流電源を供給する親機電源回路、通話信号を重畳する親機通話重畳手段、通話を終了する通話終了手段を備え、電源停止手段と、親機電源回路と、親機通話重畳手段と、子機電源回路と、電源起動手段と並列接続した呼出ボタンと、子機通話重畳手段を直列に接続したことを特徴とする。
【００１５】
この発明に係るインターホン装置は、子機と親機を通話用接続線で接続し、子機は、親機を呼び出す呼出ボタン、呼出ボタンと並列接続した電源起動手段、電源起動手段に起動信号を供給する子機制御手段、親機と通話を行う子機通話回路、子機通話回路および子機制御手段に直流電源を供給する子機電源回路、通話信号を重畳する子機通話重畳手段を備え、親機は、電源停止手段、通電時呼出手段および終了信号発生手段を有する親機制御手段、子機と通話を行う親機通話回路、呼出信号を生成する呼出音生成回路、親機通話回路および親機制御手段に直流電源を供給する親機電源回路、通話信号を重畳する親機通話重畳手段、通話を終了する通話終了手段を備え、電源停止手段と、親機電源回路と、親機通話重畳手段と、子機電源回路と、電源起動手段と並列接続した呼出ボタンと、子機通話重畳手段を直列に接続したので、呼出ボタンの操作により親機電源回路および子機電源回路の直列閉回路が形成され、親機および子機が動作状態となり、通話終了手段の終了動作により電源停止手段をオープン状態にして親機電源回路および子機電源回路の直列閉回路が直流電源から切り離され、親機および子機が待機状態になるため、親機と子機を通話接続線の２線接続にしても装置の動作と待機状態を実現することができる。
【００１６】
さらに、この発明に係る子機は、子機通話重畳手段に代えて通話信号を送受信する子機無線送受信回路を備え、親機は、親機通話重畳手段に代えて通話信号を送受信する親機無線送受信回路を備え、子機と親機間で無線通話することを特徴とする。
【００１７】
この発明に係る子機は、子機通話重畳手段に代えて通話信号を送受信する子機無線送受信回路を備え、親機は、親機通話重畳手段に代えて通話信号を送受信する親機無線送受信回路を備え、子機と親機間で無線通話するので、親機と子機を接続し、直流電源と通話信号を重畳する２線の通話用接続線に、通話信号を重畳する必要がなく、親機および子機の双方からトランスなどの通話重畳回路を削除することができる。
【００１８】
また、この発明に係る電源起動／停止手段は、子機に設けた起動巻線を有する電源起動手段と、親機に設けた解除巻線を有する電源停止手段とで構成することを特徴とする。
【００１９】
この発明に係る電源起動／停止手段は、子機に設けた起動巻線を有する電源起動手段と、親機に設けた解除巻線を有する電源停止手段とで構成するので、呼出ボタンを操作することにより電源起動手段をオン状態にして装置に直流電源を供給して通話状態にし、通話の終了動作により電源停止手段をオフ状態にして装置への直流電源を停止して待機状態にすることができる。
【００２０】
さらに、この発明に係る電源起動手段は、ノーマルブレーク接点構成の１メークリレーで構成し、電源停止手段は、ノーマルメーク接点構成の１ブレークリレーで構成したことを特徴とする。
【００２１】
この発明に係る電源起動手段は、ノーマルブレーク接点構成の１メークリレーで構成し、電源停止手段は、ノーマルメーク接点構成の１ブレークリレーで構成したので、一般的な１メーク接点リレーと１ブレーク接点リレーで装置の動作状態および電力消費がゼロの待機状態を実現することができる。
【００２２】
また、この発明に係る子機は、電源起動手段に代えて起動信号および終了信号で動作するリレー回路と、起動信号発生手段および終了信号発生手段を有する子機制御手段と、終了信号発生手段に終了信号を供給する子機制御信号重畳手段を備え、親機は、電源停止手段に代えて通話の終了信号を子機に送信する親機制御信号重畳手段を備えたことを特徴とする。
【００２３】
この発明に係る子機は、電源起動手段に代えて起動信号および終了信号で動作するリレー回路と、起動信号発生手段および終了信号発生手段を有する子機制御手段と、終了信号発生手段に終了信号を供給する子機制御信号重畳手段を備え、親機は、電源停止手段に代えて通話の終了信号を子機に送信する親機制御信号重畳手段を備えたので、親機の親機制御信号重畳手段（トランス）から装置の動作を停止する終了信号を子機に送信し、子機の子機制御信号重畳手段（トランス）で終了信号を受信してリレー回路をオフ状態にして装置の動作を停止することができる。
【００２４】
さらに、この発明に係る電源起動／停止手段は、子機に設けた起動信号および終了信号で動作するリレー回路と、起動信号発生手段および終了信号発生手段を有する子機制御手段と、終了信号発生手段に終了信号を供給する子機制御信号重畳手段と、親機に設けた通話の終了信号を子機に送信する親機制御信号重畳手段とを備えたことを特徴とする。
【００２５】
この発明に係る電源起動／停止手段は、子機に設けた起動信号および終了信号で動作するリレー回路と、起動信号発生手段および終了信号発生手段を有する子機制御手段と、終了信号発生手段に終了信号を供給する子機制御信号重畳手段と、親機に設けた通話の終了信号を子機に送信する親機制御信号重畳手段とを備えたので、子機側で装置の直流電源の投入または切断をリレー回路で実行し、親機側で親機制御信号重畳手段（トランス）から終了信号を子機の子機制御信号重畳手段（トランス）に送信してリレー回路をオフさせることにより、呼出ボタンの操作で装置を動作状態にし、通話の終了動作で装置を待機状態にすることができる。
【発明の効果】
【００２６】
この発明に係るインターホン装置は、子機と親機を接続線で接続し、子機の呼出ボタンを操作することにより、親機を呼び出し、子機および親機相互間で通話を行うインターホン装置であって、子機の呼出ボタンの操作をトリガーにして直流電源を起動し、親機および子機を動作させるとともに、親機の通話の終了動作をトリガーにして直流電源を停止し、親機および子機の動作を停止させる電源起動／停止手段を備え、装置の待機状態には電力消費をゼロにするので、インターホンの使われない長い待機状態の電力消費をゼロにすることができ、省エネをアピールすることができる。
【００２７】
また、この発明に係るインターホン装置は、子機と親機を呼出用接続線と通話用接続線で接続し、子機は、呼出用接続線に接続し、親機を呼び出す呼出ボタン、通話用接続線に接続する子機通話回路を備え、親機は、通電時呼出手段および終了パルス発生手段を有する親機制御手段、直流電源を発生する親機電源回路、子機に直流電源を供給するとともに、通話信号を直流電源に重畳する通話信号路を形成する給電回路、親機通話回路、呼出音信号を生成する呼出音生成回路、通話を終了する通話終了手段、電源起動／停止手段を備えたので、呼出ボタンを操作して電源起動／停止手段を起動することにより、親機電源回路を動作させて親機を呼び出し、子機も動作させて通話状態にするとともに、通話終了手段が終了動作して電源起動／停止手段を停止することにより、親機電源回路を停止させて装置の電力消費をゼロにすることができ、省エネを実現して電力消費の経済化を図ることができる。
【００２８】
さらに、この発明に係る電源起動／停止手段は、セット巻線およびリセット巻線を有する２巻線ラッチングリレーで構成し、呼出ボタンの操作により呼出用接続線を介してセット巻線に呼出電流を流し、２巻線ラッチングリレーをオン状態に保持して直流電源を起動するとともに、通話の終了動作によりリセット巻線に終了パルスを供給して２巻線ラッチングリレーをオフ状態に復旧し、直流電源を停止するので、呼出ボタンの操作で装置を動作状態にし、通話の終了動作で装置を待機状態にすることができ、単純な構成で装置の低電力消費化を図ることができる。
【００２９】
また、この発明に係るインターホン装置は、子機と親機を通話用接続線で接続し、子機は、親機を呼び出す呼出ボタン、呼出ボタンと並列接続した電源起動手段、電源起動手段に起動信号を供給する子機制御手段、親機と通話を行う子機通話回路、子機通話回路および子機制御手段に直流電源を供給する子機電源回路、通話信号を重畳する子機通話重畳手段を備え、親機は、電源停止手段、通電時呼出手段および終了信号発生手段を有する親機制御手段、子機と通話を行う親機通話回路、呼出信号を生成する呼出音生成回路、親機通話回路および親機制御手段に直流電源を供給する親機電源回路、通話信号を重畳する親機通話重畳手段、通話を終了する通話終了手段を備え、電源停止手段と、親機電源回路と、親機通話重畳手段と、子機電源回路と、電源起動手段と並列接続した呼出ボタンと、子機通話重畳手段を直列に接続したので、呼出ボタンの操作により親機電源回路および子機電源回路の直列閉回路が形成され、親機および子機が動作状態となり、通話終了手段の終了動作により電源停止手段をオープン状態にして親機電源回路および子機電源回路の直列閉回路が直流電源から切り離され、親機および子機が待機状態になるため、親機と子機を通話接続線の２線接続にしても装置の動作と待機状態を実現することができ、設置工数や配線の容易さをアピールすることができる。
【００３０】
さらに、この発明に係る子機は、子機通話重畳手段に代えて通話信号を送受信する子機無線送受信回路を備え、親機は、親機通話重畳手段に代えて通話信号を送受信する親機無線送受信回路を備え、子機と親機間で無線通話するので、親機と子機を接続し、直流電源と通話信号を重畳する２線の通話用接続線に、通話信号を重畳する必要がなく、親機および子機の双方からトランスなどの通話重畳回路を削除することができ、通話系を簡素化して自由度を広めることができる。
【００３１】
また、この発明に係る電源起動／停止手段は、子機に設けた起動巻線を有する電源起動手段と、親機に設けた解除巻線を有する電源停止手段とで構成するので、呼出ボタンを操作することにより電源起動手段をオン状態にして装置に直流電源を供給して通話状態にし、通話の終了動作により電源停止手段をオフ状態にして装置への直流電源を停止して待機状態にすることができ、単純な構成で装置の低電力消費化を実現することができる。
【００３２】
さらに、この発明に係る電源起動手段は、ノーマルブレーク接点構成の１メークリレーで構成し、電源停止手段は、ノーマルメーク接点構成の１ブレークリレーで構成したので、一般的な１メーク接点リレーと１ブレーク接点リレーで装置の動作状態および電力消費がゼロの待機状態を実現することができる。
【００３３】
また、この発明に係る子機は、電源起動手段に代えて起動信号および終了信号で動作するリレー回路と、起動信号発生手段および終了信号発生手段を有する子機制御手段と、終了信号発生手段に終了信号を供給する子機制御信号重畳手段を備え、親機は、電源停止手段に代えて通話の終了信号を子機に送信する親機制御信号重畳手段を備えたので、親機の親機制御信号重畳手段（トランス）から装置の動作を停止する終了信号を子機に送信し、子機の子機制御信号重畳手段（トランス）で終了信号を受信してリレー回路をオフ状態にして装置の動作を停止することができ、待機状態で電力消費をゼロにして省エネを実現することができる。
【００３４】
さらに、この発明に係る電源起動／停止手段は、子機に設けた起動信号および終了信号で動作するリレー回路と、起動信号発生手段および終了信号発生手段を有する子機制御手段と、終了信号発生手段に終了信号を供給する子機制御信号重畳手段と、親機に設けた通話の終了信号を子機に送信する親機制御信号重畳手段とを備えたので、子機側で装置の直流電源の投入または切断をリレー回路で実行し、親機側で親機制御信号重畳手段（トランス）から終了信号を子機の子機制御信号重畳手段（トランス）に送信してリレー回路をオフさせることにより、呼出ボタンの操作で装置を動作状態にし、通話の終了動作で装置を待機状態にすることができ、単純な構成で装置の低電力消費化を図ることができる。
【発明を実施するための最良の形態】
【００３５】
以下、この発明の実施の形態を添付図面に基づいて説明する。なお、本発明の基本的な技術思想は、子機の呼出ボタンを操作すると、親機および子機に直流電源を供給して親機を鳴音させて呼び出すとともに、親機と子機間で通話を実行し、親機と子機間の通話が終了した後に、親機の終了動作によって、親機および子機への直流電源供給を停止することにより、装置の待機中には、装置の電力消費をゼロにすることができるインターホン装置を提供するものである。
【００３６】
図１はこの発明に係るインターホン装置の一実施の形態要部ブロック構成図である。本実施の形態は、室内に設置した親機と玄関や室外に設置した子機とを３本の接続線で接続し、親機の通話回路と子機の通話回路とを給電回路を介して並列接続した構成のものである。図１において、インターホン装置１は、親機２と、子機３と、親機２と子機３を接続する呼出用接続線ＬC、通話用接続線Ｌ１，Ｌ２の３本の接続線から構成する。
【００３７】
親機２は、電源起動／停止手段４、親機電源回路５、親機制御手段６、給電回路７、親機通話回路８、呼出音生成回路９および通話終了手段を構成する通話ボタン１０を備え、入力端子Ａ１，Ａ２間に外部電源ＰＥを接続し、出力端子Ｘ１，Ｂ１，Ｂ２と呼出用接続線ＬC、通話用接続線Ｌ１，Ｌ２を介して子機３に接続する。
【００３８】
子機３は、呼出ボタン１１、子機通話回路１２を備え、接続端子Ｙ１，Ｆ１，Ｆ２と呼出用接続線ＬC、通話用接続線Ｌ１，Ｌ２を介して親機２と接続する。なお、接続端子Ｙ１は、呼出用接続線ＬCを介して親機２の出力端子Ｘ１と接続し、接続端子Ｆ１，Ｆ２は、それぞれ通話用接続線Ｌ１および通話用接続線Ｌ２を介して親機２の出力端子Ｂ１，Ｂ２と接続する。
【００３９】
電源起動／停止手段４は、２巻線ラッチングリレーで構成し、リレー接点ｓｗ１、セット巻線ＴSおよびリセット巻線ＴRを備え、リレー接点ｓｗ１の一方を入力端子Ａ１から供給される外部直流電源ＶCに接続し、リレー接点ｓｗ１の他方を親機電源回路５に接続する。なお、リレー接点ｓｗ１は、ノーマルブレーク接点構成の１メーク接点で構成される。
【００４０】
セット巻線ＴSは、一端を入力端子Ａ１から供給される外部直流電源ＶCに接続し、他端を抵抗器Ｒを介して出力端子Ｘ１に接続する。セット巻線ＴSに呼出電流ＩSを流すことにより、リレー接点ｓｗ１がブレーク状態からメーク状態になり、入力端子Ａ１から供給される外部直流電源ＶCを親機電源回路５に提供する。
【００４１】
リセット巻線ＴRは、一端を親機制御手段６の終了パルス発生手段１３に接続し、他端を接地（ＧＮＤ）に接続する。なお、終了パルス発生手段１３との関係で他端を外部直流電源ＶCに接続する場合もある。リセット巻線ＴRに終了パルス発生手段１３から終了パルスＰTを供給することにより、リレー接点ｓｗ１がメーク状態からブレーク状態になり、親機電源回路５に提供される入力端子Ａ１からの外部直流電源ＶCを遮断する。
【００４２】
ここで、入力端子Ａ１，Ａ２間に接続する外部電源ＰＥについて説明する。外部電源ＰＥが入力端子Ａ１，Ａ２間に外部直流電源ＶCを供給する場合（外部電源ＰＥがＡＣアダプタのケースも含む）、親機２は、図１に示す構成でよいが、外部電源ＰＥが商用電源（例えば、ＡＣ１００Ｖの交流電源）を供給する場合には、親機２内で、交流電源を直流電源に変換する。
【００４３】
図２は外部電源が交流電源の場合の親機内での直流電源への一変換構成図を示す。図２において、親機２は、入力端子Ａ１，Ａ２間に、ダイオードＤ１〜Ｄ４からなるダイオードブリッジＤＢで構成した全波整流回路と平滑コンデンサＣ１を備え、交流電源ＶACを整流して平滑した直流電源ＶC1を電源起動／停止手段４に供給するように構成する。
【００４４】
親機電源回路５は、定電圧回路で構成し、リレー接点ｓｗ１がメーク状態の時に供給される外部直流電源ＶCを降圧した親機直流電源ＶDを発生し、親機直流電源ＶDを親機制御手段６および給電回路７に供給する。
【００４５】
親機制御手段６は、マイクロプロセッサを基本に各種演算機能、処理機能、終了パルス発生手段１３、通電時呼出手段１４を備える。
【００４６】
終了パルス発生手段１３は、タイマ機能、パルス発生機能を備え、親機２と子機３の通話が終了し、通話終了の通話ボタン１０が操作されると、終了パルスＰTを発生し、終了パルスＰTをリセット巻線ＴRに供給する。
【００４７】
また、終了パルス発生手段１３は、子機３から呼び出しがあって呼出音が鳴音してから、通話ボタン１０が操作されない場合には、タイマ機能で所定時間を計時した後、終了パルスＰTをリセット巻線ＴRに供給する。
【００４８】
終了パルス発生手段１３から終了パルスＰTをリセット巻線ＴRに供給することにより、電源起動／停止手段４のリレー接点ｓｗ１をメーク状態からブレーク状態に制御して親機２への外部直流電源ＶCを遮断し、親機２の動作を停止させる。
【００４９】
通電時呼出手段１４は、子機３から呼び出しがあって電源起動／停止手段４のリレー接点ｓｗ１がブレーク状態からメーク状態になり、親機電源回路５から親機直流電源ＶDが供給されると、親機直流電源ＶDの直流電圧を検出し、直流電圧が一定の電圧値に達すると、呼出パルスＰYを発生し、呼出パルスＰYを呼出音生成回路９に供給する。
【００５０】
給電回路７は、チョークコイルなど通話信号ＳTをシャントしないハイインピーダンスの素子で構成し、親機通話回路８および子機３の子機通話回路１２に、直流電源（親機直流電源ＶDとほぼ等しい直流電圧値）を供給するとともに、通話信号ＳTを直流電源に重畳する通話信号路を形成する。
【００５１】
通話信号路は、親機通話回路８→出力端子Ｂ１，Ｂ２→通話用接続線Ｌ１，Ｌ２→子機３の接続端子Ｆ１，Ｆ２→子機通話回路１２の経路で形成し、給電回路７から通話電流ＩＴを親機通話回路８および子機通話回路１２に流すとともに、親機通話回路８および子機通話回路１２間で通話信号ＳTを伝送する。
【００５２】
親機通話回路８は、マイクや送話器などの音響−電気変換ユニット、スピーカや受話器などの電気−音響変換ユニット、通話信号路の２線を送話および受話の４線に変換する２線／４線変換回路等で構成し、通話信号路を介して子機３の子機通話回路１２との相互間で音声通話を行う。
【００５３】
図３はこの発明に係る親機通話回路の一実施の形態構成図である。図３において、親機通話回路８は、マイクＭＣ、スピーカＳＰ、送話増幅器１５、受話増幅器１６、２線／４線変換回路１７を備える。
【００５４】
親機通話回路８は、マイクＭＣからの送話信号を送話増幅器１５で増幅し、２線／４線変換回路１７、通話信号路を介して通話信号ＳTを子機３の子機通話回路１２に送信する。
【００５５】
また、親機通話回路８は、子機３の子機通話回路１２から通話信号路を介して送信されてくる通話信号ＳTを受信し、２線／４線変換回路１７を介して受話信号を受話増幅器１６で増幅し、スピーカＳＰから音声で出力する。
【００５６】
さらに、親機通話回路８は、スピーカＳＰの両端（ａポイントおよびｂポイント）または受話増幅器１６の入力両端（ｃポイントおよびｄポイント）に、呼出音生成回路９から供給される呼出音信号ＳYを入力し、スピーカＳＰから呼出音を発生する。
【００５７】
呼出音生成回路９は、発振回路で構成し、通電時呼出手段１４から供給される呼出パルスＰYに基づいて呼出音信号ＳYを発生し、呼出音信号ＳYをスピーカＳＰから、例えば「ピンポ〜ン」のような呼出音で出力させる。
【００５８】
通話終了手段を構成する通話ボタン１０は、押しボタンスイッチで構成し、親機２から呼び出し（「ピンポ〜ン」の呼出音）がある場合、押下することにより、マイクＭＣとスピーカＳＰを用いた通話を可能にする。
【００５９】
また、通話ボタン１０は、子機３との通話が終了した時点で、押下することにより、親機制御手段６の終了パルス発生手段１３から呼出パルスＰYを発生させ、電源起動／停止手段４のリレー接点ｓｗ１をメーク状態からブレーク状態にし、親機電源回路５への外部直流電源ＶCを遮断して通話を終了させるとともに、親機２の動作を停止させる。
【００６０】
なお、本実施の形態では、親機通話回路８にマイクＭＣおよびスピーカＳＰを設け、呼出音をスピーカＳＰから出力するとともに、通話の開始および終了を通話ボタン１０の操作で行うように構成したが、マイクＭＣおよびスピーカＳＰに代えて送話器および受話器を有するハンドセットで構成し、通話ボタン１０に代えてオンフックおよびオフフック状態を形成するフックスイッチで構成してもよい。この構成の場合、呼出音を出力するスピーカＳＰやサウンダを呼出音専用に設ける。
【００６１】
子機３の呼出ボタン１１は、ノーマルブレーク接点構成の１メークのスイッチｓｗ２で構成し、ボタンを押下している時間だけ、親機２の入力端子Ａ１→電源起動／停止手段４のセット巻線ＴS→抵抗器Ｒ→出力端子Ｘ１→呼出用接続線ＬC→接続端子Ｙ１→スイッチｓｗ２→接続端子Ｆ２→通話用接続線Ｌ２→出力端子Ｂ２→接地（ＧＮＤ）の経路で呼出電流ＩSを流すことにより、親機２を呼び出す。
【００６２】
子機３の子機通話回路１２は、接続端子Ｆ１，Ｆ２に接続し、通話用接続線Ｌ１，Ｌ２を介して子機３の出力端子Ｂ１，Ｂ２に接続された親機通話回路８と並列に接続して親機通話回路８と通話信号ＳTを遣り取りして通話を行う。なお、子機通話回路１２は、図３に示す親機通話回路８と同様な構成で、マイクＭＣ、スピーカＳＰ、送話増幅器１５、受話増幅器１６、２線／４線変換回路１７を備える。
【００６３】
次に、インターホン装置１の起動と停止動作について説明する。インターホン装置１は、子機３の呼出ボタン１１が操作されない待機状態では、電源起動／停止手段４のリレー接点ｓｗ１のブレーク状態ならびに呼出ボタン１１のスイッチｓｗ２のブレーク状態により、外部直流電源ＶCが親機２および子機３から切り離されており、装置の消費電力はゼロの状態にある。
【００６４】
インターホン装置１の起動時には、訪問者が子機３の呼出ボタン１１を押下すると、セット巻線ＴSに呼出電流ＩSが流れてリレー接点ｓｗ１がブレーク状態からメーク状態に移行し、電源起動／停止手段４（ラッチングリレー）が起動状態になり、電源起動／停止手段４（ラッチングリレー）が起動するとラッチング作用によりリレー接点ｓｗ１がメーク状態を保持する。
【００６５】
電源起動／停止手段４が起動すると、親機電源回路５に外部直流電源ＶCが供給され、親機電源回路５から親機直流電源ＶDが親機制御手段６および給電回路７に供給されて親機２が動作状態となる。
【００６６】
親機２が動作状態になると、給電回路７を介して通話信号路が形成され、親機通話回路８および子機３の子機通話回路１２が通話可能な状態になり、この時点で子機３も動作状態となる。
【００６７】
一方、親機制御手段６が動作状態になると、通電時呼出手段１４から呼出パルスＰYが呼出音生成回路９に供給され、呼出音生成回路９から呼出音信号ＳYが親機通話回路８に供給されて呼出音が鳴音する。室内の居住者が通話ボタン１０を操作して呼出音に応答することにより、親機２と子機３の通話ができる。
【００６８】
インターホン装置１の停止時には、親機２と子機３の通話が終了し、室内の居住者が通話ボタン１０を操作すると、親機制御手段６の終了パルス発生手段１３から終了パルスＰTがリセット巻線ＴRに供給され、リレー接点ｓｗ１がメーク状態からブレーク状態に移行し、電源起動／停止手段４（ラッチングリレー）が停止状態になり、親機電源回路５への外部直流電源ＶCの供給が遮断され、親機２および子機３の動作が停止してインターホン装置１が停止状態となる。
【００６９】
このように、この発明に係るインターホン装置１は、子機３と親機２を呼出用接続線ＬCと通話用接続線Ｌ１，Ｌ２で接続し、子機３は、呼出用接続線ＬCに接続し、親機２を呼び出す呼出ボタン１１、通話用接続線Ｌ１，Ｌ２に接続する子機通話回路１２を備え、親機２は、通電時呼出手段１４および終了パルス発生手段１３を有する親機制御手段６、直流電源（親機直流電源ＶD）を発生する親機電源回路５、子機３に直流電源を供給するとともに、通話信号ＳTを直流電源に重畳する通話信号路を形成する給電回路７、親機通話回路８、呼出音信号ＳYを生成する呼出音生成回路９、通話を終了する通話終了手段（通話ボタン１０）、電源起動／停止手段４を備えたので、呼出ボタン１１を操作して電源起動／停止手段４を起動することにより、親機電源回路５を動作させて親機２を呼び出し、子機３も動作させて通話を状態にするとともに、通話ボタン１０を操作して電源起動／停止手段４を停止することにより、親機電源回路５を停止させて装置１の電力消費をゼロにすることができ、省エネを実現して電力消費の経済化を図ることができる。
【００７０】
また、この発明に係る電源起動／停止手段４は、セット巻線ＴSおよびリセット巻線ＴRを有する２巻線ラッチングリレーで構成し、呼出ボタン１０の操作により呼出用接続線ＬCを介してセット巻線ＴSに呼出電流ＩSを流し、２巻線ラッチングリレーをオン状態に保持して直流電源（親機電源回路５）を起動するとともに、通話の終了動作（通話ボタン１０の押下）によりリセット巻線ＴRに終了パルスＰTを供給して２巻線ラッチングリレーをオフ状態に復旧し、直流電源（外部直流電源ＶC）を停止するので、呼出ボタン１０の操作で装置１を動作状態にし、通話の終了操作で装置１を待機状態にすることができ、単純な構成で装置の低電力消費化を図ることができる。
【００７１】
図４はこの発明に係るインターホン装置の別実施の形態要部ブロック構成図である。本実施の形態は、室内に設置した親機と玄関や室外に設置した子機とを２本の接続線で接続し、親機と子機を直列接続した構成のものである。図４において、インターホン装置１８は、親機１９と、子機２０と、親機１９と子機２０を接続する通話用接続線Ｌ１，Ｌ２の２本の接続線から構成する。
【００７２】
親機１９は、電源停止手段２１、親機電源回路２２、親機制御手段２３、親機通話回路２４、親機通話重畳手段２７、呼出音生成回路９、通話終了手段を構成する通話ボタン１０、通話信号ＳTのバイパス用コンデンサＣ２，Ｃ３を備え、入力端子Ａ１，Ａ２間に外部電源ＰＥを接続し、出力端子Ｂ１，Ｂ２と２本の通話用接続線Ｌ１，Ｌ２を介して子機３に接続する。
【００７３】
子機２０は、呼出ボタン１１、電源起動手段２８、子機電源手段２９、子機制御手段３０、子機通話回路３１、子機通話重畳手段３３、通話信号ＳTのバイパス用コンデンサＣ４を備え、接続端子Ｆ１，Ｆ２とそれぞれ通話用接続線Ｌ１，Ｌ２を介して親機１９を直列に接続する。
【００７４】
まず、親機１９の構成について説明する。電源停止手段２１は、１巻線のＮＣリレーで構成し、リレー接点ｓｗ３、解除巻線ＴJを備え、リレー接点ｓｗ３の一方を入力端子Ａ１から供給される外部直流電源ＶCに接続し、リレー接点ｓｗ３の他方を親機電源回路５に接続する。なお、リレー接点ｓｗ３は、ノーマルメーク接点構成の１ブレーク接点で構成される。リレー接点ｓｗ３は、インターホン装置１８が動作していない待機状態には、メーク状態にある。
【００７５】
解除巻線ＴJは、一端を親機制御手段２３の終了信号発生手段２５に接続し、他端を接地（ＧＮＤ）に接続する。解除巻線ＴJに終了信号発生手段２５から終了信号ＳUを供給することにより、リレー接点ｓｗ３がメーク状態からブレーク状態になり、親機電源回路２２に提供される入力端子Ａ１からの外部直流電源ＶCを遮断する。
【００７６】
親機電源回路２２は、定電圧回路で構成し、子機２０の呼出ボタン１１が押下された時に供給される外部直流電源ＶCを降圧した親機直流電源ＶD1を発生し、親機直流電源ＶD1を親機制御手段２３および親機通話回路２４に供給する。
【００７７】
親機制御手段２３は、マイクロプロセッサを基本に各種演算機能、処理機能、終了信号発生手段２５、通電時呼出手段２６を備える。
【００７８】
終了信号発生手段２５は、タイマ機能、信号発生機能を備え、親機１９と子機２０の通話が終了し、通話終了の通話ボタン１０が操作されると、終了信号ＳUを発生し、終了信号ＳUを解除巻線ＴJに供給する。
【００７９】
また、終了信号発生手段２５は、子機２０から呼び出しがあって呼出音が鳴音してから、通話ボタン１０が操作されない場合には、タイマ機能で所定時間を計時した後、終了信号ＳUを解除巻線ＴJに供給する。
【００８０】
終了信号発生手段２５から終了信号ＳUを解除巻線ＴJに供給することにより、電源停止手段２１のリレー接点ｓｗ３をメーク状態からブレーク状態に制御して親機１９への外部直流電源ＶCを遮断し、親機１９の動作を停止させるとともに、親機１９に直列接続された子機２０の動作も停止させる。
【００８１】
通電時呼出手段２６は、子機２０から呼び出しがあって電源起動手段２８リレー接点ｓｗ４がブレーク状態からメーク状態になり、装置１が動作して親機電源回路２２から親機直流電源ＶD1が供給されると、親機直流電源ＶD1の直流電圧を検出し、直流電圧が一定の電圧値に達すると、呼出パルスＰYを発生し、呼出パルスＰYを呼出音生成回路９に供給する。
【００８２】
親機通話回路２４は、図３に示す親機通話回路８と同じ構成で、マイクＭＣ、スピーカＳＰ、送話増幅器１５、受話増幅器１６、２線／４線変換回路１７を備え、通話信号ＳTを親機通話重畳手段２７を介して子機２０に送信するとともに、親機通話重畳手段２７を介して送信されてくる子機２０からの通話信号ＳTを受信することにより、子機２０との相互通話を行う。
【００８３】
また、親機通話回路２４は、図３に示すスピーカＳＰの両端（ａポイントおよびｂポイント）または受話増幅器１６の入力両端（ｃポイントおよびｄポイント）に、呼出音生成回路９から供給される呼出音信号ＳYを入力し、スピーカＳＰから呼出音を発生する。呼出音生成回路９は、発振回路で構成し、通電時呼出手段２６から供給される呼出パルスＰYに基づいて呼出音信号ＳYを発生し、呼出音信号ＳYをスピーカＳＰから、例えば「ピンポ〜ン」のような呼出音を出力させる。
【００８４】
親機通話重畳手段２７は、トランスＴ１で構成し、親機通話回路２４からの通話信号ＳTを出力端子Ｂ１、通話用接続線Ｌ１を介して子機２０に送信するとともに、子機２０から接続端子Ｆ１、通話用接続線Ｌ１を介して送信されてくる通話信号ＳTを親機通話回路２４に伝送して受信させる。なお、コンデンサＣ２，Ｃ３は、通話信号ＳTをバイパスする。
【００８５】
通話ボタン１０は、押しボタンスイッチで構成し、親機１９から呼び出し（「ピンポ〜ン」の呼出音）がある場合、押下することにより、マイクＭＣとスピーカＳＰを用いた通話を可能にする。
【００８６】
また、通話ボタン１０は、子機２０との通話が終了した時点で、押下することにより、親機制御手段２３の終了信号発生手段２５から終了信号ＳUを発生させ、電源停止手段２１のリレー接点ｓｗ３をメーク状態からブレーク状態にし、親機電源回路２２への外部直流電源ＶCを遮断して通話を終了させるとともに、親機１９および子機２０の動作を停止させる。
【００８７】
続いて、子機２０の構成について説明する。呼出ボタン１１は、ノーマルブレーク接点構成の１メークのスイッチｓｗ２で構成し、ボタンを押下している時間だけ、親機２の入力端子Ａ１→電源停止手段２１→親機電源回路２２→親機通話重畳手段２７（トランスＴ１）出力端子Ｂ１→通話用接続線Ｌ１→接続端子Ｆ１→呼出ボタン１１（スイッチｓｗ２）→子機電源手段２９→子機通話重畳手段３３（トランスＴ２）→接地（ＧＮＤ）の経路で直列の閉回路を形成し、親機１９および子機２０に電流を流して装置１８を起動する。
【００８８】
電源起動手段２８は、１巻線のリレーで構成し、リレー接点ｓｗ４、起動巻線ＴDを備え、リレー接点ｓｗ４の一方を接続端子Ｆ１に接続し、リレー接点ｓｗ４の他方を子機電源手段２９に接続する。なお、リレー接点ｓｗ４は、ノーマルブレーク接点構成の１メーク接点で構成される。リレー接点ｓｗ４は、インターホン装置１８が動作していない待機状態には、ブレーク状態にある。電源起動手段２８のリレー接点ｓｗ４と呼出ボタン１１は、並列に接続する。
【００８９】
起動巻線ＴDは、一端を子機制御手段３０の起動信号発生手段３２に接続し、他端を接地（ＧＮＤ）に接続する。起動巻線ＴDに起動信号発生手段３２から起動信号ＳRを供給することにより、リレー接点ｓｗ４がブレーク状態からメーク状態になり、子機電源手段２９に供給される直流電源が継続して保持される。
【００９０】
子機電源手段２９は、定電圧回路で構成し、子機２０の呼出ボタン１１が押下された時に供給される直流電源を降圧した子機直流電源ＶD2を発生し、子機直流電源ＶD2を子機制御手段３０および子機通話回路３１に供給する。
【００９１】
子機制御手段３０は、起動信号発生手段３２を備える。
【００９２】
起動信号発生手段３２は、信号発生機能を備え、呼出ボタン１１が押下されて子機電源手段２９から子機直流電源ＶD2が供給されると、起動信号ＳRを発生し、起動信号ＳRを電源起動手段２８の起動巻線ＴDに供給する。
【００９３】
子機通話回路３１は、図３に示す親機通話回路８と同じ構成で、マイクＭＣ、スピーカＳＰ、送話増幅器１５、受話増幅器１６、２線／４線変換回路１７を備え、通話信号ＳTを子機通話重畳手段３３を介して親機１９に送信するとともに、子機通話重畳手段３３を介して送信されてくる親機１９の通話信号ＳTを受信することにより、親機１９との相互通話を行う。
【００９４】
子機通話重畳手段３３は、トランスＴ２で構成し、子機通話回路３１からの通話信号ＳTを子機電源手段２９（バイパス用コンデンサＣ４）、電源起動手段２８のリレー接点ｓｗ４、接続端子Ｆ２、通話用接続線Ｌ１を介して親機１９に送信するとともに、親機１９から親機通話重畳手段２７（トランスＴ１）、出力端子Ｂ１、通話用接続線Ｌ１を介して送信されてくる通話信号ＳTを子機通話回路３１に伝送して受信させる。なお、コンデンサＣ４は、通話信号ＳTをバイパスする。
【００９５】
次に、インターホン装置１８の起動と停止動作について説明する。インターホン装置１８は、子機２０の呼出ボタン１１が操作されない待機状態では、親機１９と子機２０が直列に接続され、子機２０の呼出ボタン１１および電源起動手段２８がブレーク状態にあるために直列の閉回路が形成されず、外部直流電源ＶCが親機１９および子機２０から切り離されており、装置の消費電力はゼロの状態にある。
【００９６】
インターホン装置１８の起動時には、訪問者が子機１９の呼出ボタン１１を押下すると、親機１９と子機２０の直列の閉回路が形成され、親機１９の親機電源回路２２および子機２０の子機電源手段２９が起動し、子機電源手段２９から子機直流電源ＶD2が子機制御手段３０の起動信号発生手段３２に供給されて起動信号発生手段３２が動作し、起動信号発生手段３２から起動信号ＳRが電源起動手段２８の起動巻線ＴDに供給されと、リレー接点ｓｗ４がブレーク状態からメーク状態に移行し、電源起動手段２８が起動して親機１９と子機２０の直列の閉回路が保持される。
【００９７】
電源起動手段２８が起動すると、外部直流電源ＶCが親機１９および子機２０に供給され、親機電源回路２２から親機直流電源ＶD1が親機制御手段２３および親機通話回路２４に供給されて親機１９が動作状態となる。
【００９８】
親機１９の動作状態と同時に、子機電源手段２９から子機直流電源ＶD2が子機制御手段３０および子機通話回路３１に供給されて子機２０が動作状態となる。
【００９９】
一方、親機制御手段２３が動作状態になると、通電時呼出手段２６から呼出パルスＰYが呼出音生成回路９に供給され、呼出音生成回路９から呼出音信号ＳYが親機通話回路２４に供給されて呼出音が鳴音する。室内の居住者が通話ボタン１０を操作して呼出音に応答することにより、親機１９と子機２０の通話ができる。
【０１００】
インターホン装置１８の停止時には、親機１９と子機２０の通話が終了し、室内の居住者が通話ボタン１０を操作すると、親機制御手段２３の終了信号発生手段２５から終了信号ＳUが解除巻線ＴJに供給され、リレー接点ｓｗ３がメーク状態からブレーク状態に移行し、電源停止手段２１が停止状態になり、親機電源回路２２への外部直流電源ＶCの供給が遮断され、親機１９および子機２０の直列の閉回路がオープン状態となり、親機１９および子機２０の動作が停止してインターホン装置１８が停止状態となる。
【０１０１】
なお、インターホン装置１８は、親機１９の電源停止手段２１および子機２０の電源起動手段２８で、本発明の電源起動／停止手段を構成する。また、電源停止手段２１は、親機電源回路２２の親機直流電源ＶD1が低下するとリレー接点ｓｗ３がメーク状態（ノーマルメーク状態）に復旧し、電源起動手段２８は、子機電源手段２９の子機直流電源ＶD2が低下するとリレー接点ｓｗ４がブレーク状態（ノーマルブレーク状態）に復旧する。
【０１０２】
このように、この発明に係るインターホン装置１８は、子機２０と親機１９を通話用接続線Ｌ１，Ｌ２で接続し、子機２０は、親機１９を呼び出す呼出ボタン１１、呼出ボタン１１と並列接続した電源起動手段２８、電源起動手段２８に起動信号ＳRを供給する子機制御手段３０、親機１９と通話を行う子機通話回路３１、子機通話回路３１および子機制御手段３０に直流電源（子機直流電源ＶD2）を供給する子機電源回路２９、通話信号ＳTを重畳する子機通話重畳手段３３（トランスＴ２）を備え、親機１９は、電源停止手段２１、通電時呼出手段２６および終了信号発生手段２５を有する親機制御手段２３、子機２０と通話を行う親機通話回路２４、呼出音信号ＳYを生成する呼出音生成回路９、親機通話回路２４および親機制御手段２３に直流電源（親機直流電源ＶD1）を供給する親機電源回路２２、通話信号ＳTを重畳する親機通話重畳手段２７（トランスＴ１）、通話を終了する通話終了手段（通話ボタン１０）を備え、電源停止手段２１と、親機電源回路２２と、親機通話重畳手段２７と、子機電源回路２９と、電源起動手段２８と並列接続した呼出ボタン１１と、子機通話重畳手段３３を直列に接続したので、呼出ボタン１１の操作により親機電源回路２２および子機電源回路２９の直列閉回路が形成され、親機１９および子機２０が動作状態となり、通話ボタン１０の操作により電源停止手段２１をオープン状態にして親機電源回路２２および子機電源回路２９の直列閉回路が直流電源（外部直流電源ＶC）から切り離され、親機１９および子機２０が待機状態になるため、親機１９と子機２０を通話用接続線Ｌ1，Ｌ2の２線接続にしても装置１８の動作と待機状態を実現することができ、設置工数や配線の容易さをアピールすることができる。なお、本実施の形態では、子機２０の電源起動手段２８および親機１９の電源停止手段２１を巻線リレーによって構成したが、半導体リレーなどで構成してもよい。
【０１０３】
図５はこの発明に係るインターホン装置の一変形実施の形態要部ブロック構成図である。図５において、インターホン装置３４は、親機３５と、子機３６と、親機３５と子機３６を接続する通話用接続線Ｌ１，Ｌ２の２本の接続線から構成する。
【０１０４】
親機３５は、電源停止手段２１、親機電源回路２２、親機制御手段２３、親機通話回路３７、親機無線送受信手段３８、呼出音生成回路９、通話終了手段を構成する通話ボタン１０を備え、入力端子Ａ１，Ａ２間に外部電源ＰＥを接続し、出力端子Ｂ１，Ｂ２と２本の通話用接続線Ｌ１，Ｌ２を介して子機３６に接続する。
【０１０５】
子機３６は、呼出ボタン１１、電源起動手段２８、子機電源手段２９、子機制御手段３０、子機通話回路３９、子機無線送受信手段４０を備え、接続端子Ｆ１，Ｆ２とそれぞれ通話用接続線Ｌ１，Ｌ２を介して親機３５を直列に接続する。
【０１０６】
なお、インターホン装置３４は、図４に示すインターホン装置１８と比べて、親機１９の親機通話重畳手段２７に代えて通話信号ＳTを送受信する親機無線送受信手段３８を備えた点および子機２０の子機通話重畳手段３３に代えて通話信号ＳTを送受信する子機無線送受信手段４０を備えた点が基本的に異なる以外は同一構成、同一動作である。
【０１０７】
親機３５と子機３６との間の通話系を無線で行うように構成した点が図４に示すインターホン装置１８と異なるので、無線通話系について説明し、他の構成部は説明を省略する。
【０１０８】
親機３５の親機無線送受信手段３８は、無線送受信手段を備え、親機通話回路３７から供給される送話信号の通話信号ＳTに変調を施し、無線通話信号ＭSを子機３６に送信するとともに、子機３６から送信されてくる無線通話信号ＭSを受信して復調を施し、受話信号の通話信号ＳTを親機通話回路３７に供給する。
【０１０９】
同様に、子機３６の子機無線送受信手段４０は、無線送受信手段を備え、子機通話回路３９から供給される送話信号の通話信号ＳTに変調を施し、無線通話信号ＭSを親機３５に送信するとともに、親機３５から送信されてくる無線通話信号ＭSを受信して復調を施し、受話信号の通話信号ＳTを子機通話回路３９に供給する。
【０１１０】
このように、この発明に係る子機３６は、子機通話重畳手段３３に代えて通話信号ＳTを送受信する子機無線送受信回路４０を備え、親機３５は、親機通話重畳手段２７に代えて通話信号ＳTを送受信する親機無線送受信回路３８を備え、子機３６と親機３５間で無線通話するので、親機３５と子機３６を接続し、直流電源ＶDと通話信号ＳTを重畳する２線の通話用接続線Ｌ１，Ｌ２に、通話信号ＳTを重畳する必要がなく、親機３５および子機３６の双方からトランスＴ１，Ｔ２などの通話重畳手段（親機通話重畳手段２７および子機通話重畳手段３３）を削除することができ、通話系を簡素化して自由度を広めることができる。
【０１１１】
また、この発明に係る電源起動／停止手段は、子機２０，３６に設けた起動巻線ＴDを有する電源起動手段２８と、親機１９，３５に設けた解除巻線ＴJを有する電源停止手段２１とで構成するので、呼出ボタン１１を操作することにより電源起動手段２８をオン（メーク）状態にして装置１８，３４に直流電源を供給して通話状態にし、通話ボタン１０を操作することにより電源停止手段２１をオフ（ブレーク）状態にして装置１８，３４への直流電源を停止して待機状態にすることができ、単純な構成で装置の低電力消費化を実現することができる。
【０１１２】
さらに、この発明に係る電源起動手段２８は、ノーマルブレーク接点構成の１メークリレーで構成し、電源停止手段２１は、ノーマルメーク接点構成の１ブレークリレーで構成したので、一般的な１メーク接点リレーと１ブレーク接点リレーで装置の動作状態および電力消費がゼロの待機状態を実現することができる。なお、本実施の形態では、子機２０，３６の電源起動手段２８および親機１９，３５の電源停止手段２１を巻線リレーによって構成したが、半導体リレーなどで構成してもよい。
【０１１３】
図６はこの発明に係るインターホン装置の別変形実施の形態要部ブロック構成図である。図６において、インターホン装置４１は、親機４２と、子機４３と、親機４２と子機４３を接続する通話用接続線Ｌ１，Ｌ２の２本の接続線から構成する。
【０１１４】
親機４２は、親機制御信号重畳手段４４（トランスＴ３）、親機電源回路２２、親機制御手段４５、親機通話回路２４、親機通話重畳手段２７（トランスＴ１）、呼出音生成回路９、通話ボタン１０を備え、入力端子Ａ１，Ａ２間に外部電源ＰＥを接続し、出力端子Ｂ１，Ｂ２と２本の通話用接続線Ｌ１，Ｌ２を介して子機４３に接続する。
【０１１５】
子機４３は、呼出ボタン１１、電源起動／停止手段４８（２巻線ラッチングリレー）、子機制御信号重畳手段４９（トランスＴ４）、子機電源手段２９、子機制御手段５０、子機通話回路３１を備え、接続端子Ｆ１，Ｆ２とそれぞれ通話用接続線Ｌ１，Ｌ２を介して親機４２を直列に接続する。
【０１１６】
なお、インターホン装置４１は、図４に示すインターホン装置１８と比べて、親機１９の電源停止手段２１に代えて終了信号（高周波）ＳHを子機４３に送信する親機制御信号重畳手段４４（トランスＴ３）を備えた点および子機２０の電源起動手段２８に代えて電源起動／停止手段４８（２巻線ラッチングリレー）と、終話信号発生手段５１および起動信号発生手段５２を有する子機制御手段５０と、終話信号発生手段５１に終了信号（高周波）ＳHを供給する子機制御信号重畳手段４９を備えた点が基本的に異なる以外は同一構成、同一動作である。
【０１１７】
親機４２と子機４３の起動および停止の構成が図４に示すインターホン装置１８と異なるので、起動および停止について説明し、他の構成部は説明を省略する。
【０１１８】
インターホン装置４１は、子機４３の呼出ボタン１１が操作されない待機状態では、親機４２と子機４３が直列に接続され、子機４３の呼出ボタン１１および電源起動／停止手段４８がブレーク状態にあるために直列の閉回路が形成されず、外部直流電源ＶCが親機４２および子機４３から切り離されており、装置の消費電力はゼロの状態にある。
【０１１９】
インターホン装置４１の起動時には、訪問者が子機４３の呼出ボタン１１を押下すると、親機４２と子機４３の直列の閉回路が形成され、親機４２の親機電源回路２２および子機４３の子機電源手段２９が起動し、子機電源手段２９から子機直流電源ＶD2が子機制御手段５０に供給されて起動信号発生手段５２が動作し、起動信号発生手段５２から起動信号ＳRが電源起動／停止手段４８の起動巻線ＴDに供給されると、リレー接点ｓｗ５がブレーク状態からメーク状態に移行し、電源起動／停止手段４８が起動して親機４２と子機４３の直列の閉回路が保持される。
【０１２０】
電源起動／停止手段４８が起動すると、外部直流電源ＶCが親機４２および子機４３に供給され、親機電源回路２２から親機直流電源ＶD1が親機制御手段４５および親機通話回路２４に供給されて親機１９が動作状態となる。
【０１２１】
親機４２が動作状態と同時に、子機電源手段２９から子機直流電源ＶD2が子機制御手段５０および子機通話回路３１に供給されて子機４３が動作状態となる。
【０１２２】
一方、親機制御手段４５が動作状態になると、通話時呼出手段４７から呼出パルスＰYが呼出音生成回路９に供給され、呼出音生成回路９から呼出音信号ＳYが親機通話回路２４に供給されて呼出音が鳴音する。室内の居住者が通話ボタン１０を操作して呼出音に応答することにより、親機４２と子機４３の通話ができる。
【０１２３】
インターホン装置４１の停止時には、親機４２と子機４３の通話が終了し、室内の居住者が通話ボタン１０を操作すると、親機制御手段４５の終了信号発生手段４６から終了信号（高周波）ＳHが親機制御信号重畳手段４４（トランスＴ３）に供給され、終了信号（高周波）ＳHが親機制御信号重畳手段４４（トランスＴ３）を介し、バイパス用コンデンサＣ３→親機通話重畳手段２７（トランスＴ１）→出力端子Ｂ１→通話用接続線Ｌ１→接続端子Ｆ１→電源起動／停止手段４８のリレー接点ｓｗ５の経路で子機制御信号重畳手段４９（トランスＴ４）に供給され、子機制御信号重畳手段４９（トランスＴ４）から子機制御手段５０の終話信号発生手段５１に伝送される。
【０１２４】
終了信号（高周波）ＳHが終話信号発生手段５１に供給され、終話信号発生手段５１から終了信号ＳUが電源起動／停止手段４８の解除巻線ＴJに供給されると、リレー接点ｓｗ５がメーク状態からブレーク状態に移行し、電源起動／停止手段４８が停止状態になり、親機４２と子機４３の直列の閉回路がオープンとなり、インターホン装置４１が停止状態となる。
【０１２５】
なお、本発明に係る電源起動／停止手段は、子機４３に設けた電源起動／停止手段４８（２巻線ラッチングリレー）、子機制御手段５０、子機制御信号重畳手段４９（トランスＴ４）と、親機４２に設けた親機制御信号重畳手段４４（トランスＴ３）とで構成する。
【０１２６】
このように、この発明に係る子機４３は、電源起動手段に代えて起動巻線および解除巻線を有する２巻線ラッチングリレー（電源起動／停止手段４８）と、起動信号発生手段５１および終了信号発生手段５２を有する子機制御手段５０と、終了信号発生手段５２に終了信号ＳHを供給する子機制御信号重畳手段４９（トランスＴ４）を備え、親機４２は、電源停止手段に代えて通話の終了信号ＳHを子機４３に送信する親機制御信号重畳手段４４（トランスＴ３）を備えたので、親機４２の親機制御信号重畳手段４４（トランス３）から装置４１の動作を停止する終了信号ＳHを子機４３に送信し、子機４３の子機制御信号重畳手段４９（トランスＴ４）で終了信号ＳHを受信してラッチングリレー（電源起動／停止手段４８）をオフ状態にして装置４１の動作を停止することができ、待機状態で電力消費をゼロにして省エネを実現することができる。
【０１２７】
また、この発明に係る電源起動／停止手段は、子機４３に設けた起動巻線ＴDおよび解除巻線ＴJを有する２巻線ラッチングリレー（電源起動／停止手段４８）と、起動信号発生手段５２および終了信号発生手段５１を有する子機制御手段５０と、終了信号発生手段５１に終了信号ＳHを供給する子機制御信号重畳手段４９（トランスＴ４）と、親機４２に設けた通話の終了信号ＳHを子機４２に送信する親機制御信号重畳手段４４（トランスＴ３）とを備えたので、子機側で装置の直流電源の投入または切断を２巻線ラッチングリレーで実行し、親機側で親機制御信号重畳手段４４（トランスＴ３）から終了信号ＳHを子機４３の子機制御信号重畳手段４９（トランスＴ４）に送信して２巻線ラッチングリレーをオフさせることにより、呼出ボタン１０の操作で装置を動作状態にし、通話の終了操作で装置を待機状態にすることができ、単純な構成で装置の低電力消費化を図ることができる。なお、本実施の形態では、子機４３の電源起動／停止手段４８を２巻線ラッチングリレーによって構成したが、巻線リレーやラッチングリレーに限定されることなく、半導体リレーなどで構成してもよい。
【０１２８】
以上説明したように、この発明に係るインターホン装置１，１８，３４，４１は、子機３，２０，３６，４３と親機２，１９，３５，４２を接続線（呼出用接続線ＬC，通話用接続線Ｌ１，Ｌ２）で接続し、子機３，２０，３６，４３の呼出ボタン１０を操作することにより、親機２，１９，３５，４２を呼び出し、子機３，２０，３６，４３および親機２，１９，３５，４２相互間で通話を行うインターホン装置であって、子機３，２０，３６，４３の呼出ボタン１０の操作をトリガーにして直流電源を起動し、親機２，１９，３５，４２および子機３，２０，３６，４３を動作させるとともに、親機２，１９，３５，４２の通話の終了動作をトリガーにして直流電源を停止し、親機および子機の動作を停止させる電源起動／停止手段４を備え、装置の待機状態には電力消費をゼロにするので、インターホンの使われない長い待機状態の電力消費をゼロにすることができ、省エネをアピールすることができる。
【産業上の利用可能性】
【０１２９】
本発明に係るインターホン装置は、呼出ボタンを押下していない待機状態には、親機および子機の電力消費をゼロにして装置の省電力化を実現するものであり、子機および親機間を接続線（有線）で接続するあらゆるインターホン装置に適用することができる。
【図面の簡単な説明】
【０１３０】
【図１】この発明に係るインターホン装置の一実施の形態要部ブロック構成図
【図２】外部電源が交流電源の場合の親機内での直流電源への一変換構成図
【図３】この発明に係る親機通話回路の一実施の形態構成図
【図４】この発明に係るインターホン装置の別実施の形態要部ブロック構成図
【図５】この発明に係るインターホン装置の一変形実施の形態要部ブロック構成図
【図６】この発明に係るインターホン装置の別変形実施の形態要部ブロック構成図
【符号の説明】
【０１３１】
１，１８，３４，４１    インターホン装置
２，１９，３５，４２    親機
３，２０，３６，４３    子機
４，４８    電源起動／停止手段
５，２２    親機電源回路
６，２３，４５    親機制御手段
７    給電回路
８，２４，３７    親機通話回路
９    呼出音生成回路
１０    通話ボタン（通話停止手段）
１１    呼出ボタン
１２    子機通話回路
１３    終了パルス発生手段
１４，２６，４７    通電時呼出手段
１５    送話増幅器
１６    受話増幅器
１７    ２線／４線変換回路
２１    電源停止手段
２５，４６，５１    終話信号発生手段
２７    親機通話重畳手段
２８    電源起動手段
２９    子機電源手段
３０，５０    子機制御手段
３１，３９    子機通話回路
３２，５２    起動信号発生手段
３３    子機通話重畳手段
３８    親機無線送受信手段
４０    子機無線送受信手段
４４    親機制御信号重畳手段
４９    子機制御信号重畳手段
ＴS    セット巻線
ＴR    リセット巻線
ＴD    起動巻線
Ｔ１，Ｔ２，Ｔ３，Ｔ４    トランス
ＴJ    解除巻線
ＰＥ    外部電源
ｓｗ１，ｓｗ３，ｓｗ４，ｓｗ５    リレー接点
ｓｗ２    スイッチｓｗ２
Ｒ    抵抗器
Ｃ，Ｃ１，Ｃ２，Ｃ３，Ｃ４    コンデンサ
ＬC    呼出用接続線
Ｌ1．Ｌ2    通話用接続線
ＩS    呼出電流
ＩT    通話電流
ＰT    終了パルス
ＰY    呼出パルス
ＶC    外部直流電源
ＶD，ＶD1    親機直流電源
ＶD2    子機直流電源
ＳT    通話信号
ＭＣ    マイク
ＳＰ    スピーカ
ＰY    呼出パルス
ＳY    呼出音信号
ＳU    終了信号
ＳR    起動信号
ＭS    無線通話信号
ＳH    終了信号（高周波）
【図１】
2005348333.tif 000003
【図２】
2005348333.tif 000004
【図３】
2005348333.tif 000005
【図４】
2005348333.tif 000006
【図５】
2005348333.tif 000007
【図６】
2005348333.tif 000008